(57)【特許請求の範囲】
【請求項１】
入力映像信号に基づき画像表示器上に順次リフレッシュしつつ画像を表示する画像表示装置において、
前記入力映像信号は、アスペクト比を含む方式が異なる、複数のアナログ形式の入力映像信号、およびディジタル形式の入力映像信号であり、
複数の前記入力映像信号のうちから２以上を選択し、選択した信号を所定のタイミングで切り替えながら出力する選択切替手段と、
前記選択切替手段により選択されるアナログ形式の映像信号から同期信号を分離する同期分離回路と、
そのアナログ形式の映像信号をディジタル形式の映像信号に変換するＡ／Ｄコンバータと、
選択されまたは変換されたディジタル形式の映像信号を１水平期間記憶するラインメモリと、
このラインメモリに前記同期信号に基づいてリフレッシュタイミングの情報を送ってその映像信号を前記画像表示器に送出させるリフレッシュ制御回路と、
選択される各映像信号に対してそれに基づく表示が行なわれるべき前記画像表示器上の画像表示領域を割り当てる割当手段と
を備え、画像表示器は記憶性を有するものであることを特徴とする画像表示装置。
【発明の詳細な説明】
【０００１】
【産業上の利用分野】
本発明は、画像表示装置に関し、詳しくは、例えば強誘電性液晶を表示更新のための動作媒体として用い、電界の印加等によって更新された表示状態を保持可能な表示素子を備えた画像表示装置に関するものである。
【０００２】
【従来の技術】
近年、テレビジョン映像の信号方式は、現行のＮＴＳＣやＰＡＬに加え、ＨＤＴＶといった走査線数やアスペクト比等の方式の異なる信号形式が普及し、また現行のＮＴＳＣにおいても、ＨＤＴＶと同じアスペクト比のワイド放送があり、ＣＲＴに代表される画像表示器においても、アスペクト比が現行放送に合わせた４：３のものと、ＨＤＴＶやワイド放送に対応した１６：９のものがある。
【０００３】
しかしながら、同じ画像表示器を用いて、表示器のアスペクト比にあった映像信号も、アスペクト比の異なる信号形式の映像信号も表示したいという要求が高まっている。
【０００４】
そこで、アスペクト比の異なる信号形式の映像信号を表示する際には、画像表示器の画像表示領域の左右端もしくは上下端に無信号領域を形成し、例えば黒表示を行うことで対応している。
【０００５】
また、パーソナルコンピュータ等の情報端末機器の情報表示装置においても、同時にテレビジョン映像信号等のアナログ信号表示をしたいという要求が高まっている。
【０００６】
また、画像表示装置の小型化、消費電力低減の要求から、ＣＲＴに変わるものの一つとして液晶表示装置がある。液晶表示装置としては従来よりＴＦＴ方式やＳＴＮ方式が知られているが、このような液晶表示装置においても前述の如き表示器とはアスペクト比の異なる信号形式の映像信号も表示したいという要求がある。その方法については、例えばＨＤＴＶ方式のテレビジョン映像信号を表示するためのアスペクト比、走査線数を持った表示器に、現行のＮＴＳＣ方式のテレビジョン映像信号を表示する方法が、特開平５−８３６５８号公報等に記載されている。
【０００７】
液晶表示装置として、前述のＴＦＴ方式やＳＴＮ方式とは異なる駆動法を用いる強誘電性液晶（以下、ＦＬＣ（Ｆｅｒｒｏｅｌｅｃｔｒｉｃ  ＬｉｑｕｉｄＣｒｙｓｔａｌ）という）の液晶セルを用いた画像表示器（以下、ＦＬＣＤ（ＦＬＣディスプレイ）という）があり、その特徴の一つは、その液晶セルが電界の印加に対して表示状態の保存性を有することにある。すなわち、ＦＬＣＤは、その液晶セルが充分に薄いものであり、その中の細長いＦＬＣの分子は、電界の印加方向に応じて第一の安定状態または第二の安定状態に配向し、電界を除いてもそれぞれの配向状態を維持する。このようなＦＬＣ分子の双安定性により、ＦＬＣＤは記憶性を有する。このようなＦＬＣおよびＦＬＣＤの詳細は、例えば特願昭６２−７６３５７号公報に記載されている。
【０００８】
この結果、ＦＬＣＤを駆動する場合には、ＣＲＴや他の液晶表示器と異なり、表示画面の連続的なリフレッシュ駆動の周期に時間的な余裕ができ、また、その連続的なリフレッシュ駆動とは別に、表示画面上の変更に当たる部分のみの表示状態を更新する、部分書換駆動が可能となる。
【０００９】
【発明が解決しようとする課題】
前述のように画像表示器と異なるアスペクト比の信号形式の映像信号を表示する際には、画像表示器の画像表示領域の左右端もしくは上下端に無信号領域を形成し、例えば黒表示を行うことで対応する方法があるが、ＣＲＴやＴＦＴ、ＳＴＮといった従来の液晶画像表示においては、この無信号領域を形成するために、信号処理によって映像信号に無信号領域を挿入したり、液晶画像表示装置の走査電極、信号電極の走査クロック周波数を変化させたりといった煩雑な処理が必要であり、また無信号領域も、画像信号表示領域と同様に走査し、画素を駆動しなければならず、駆動周波数が高速になり、回路の高速化によるコストの上昇、不要輻射ノイズを発生するなどの問題が生じている。また、パーソナルコンピュータ等の情報端末機器の情報表示装置において、同時にテレビジョン映像信号等のアナログ信号表示をする場合には、テレビジョン映像信号等のアナログ信号を一旦情報端末機器内でディジタル信号に変換し、情報端末機器内のメモリに蓄え、加工をして情報信号とテレビジョン映像信号を合成した形で出力しなければならず、回路の大規模化、コストの上昇等の問題が生じている。
【００１０】
本発明の目的は、このような従来技術の問題点に鑑み、画像表示装置において、装置と異なるアスペクト比の信号形式の映像信号をより容易に表示できるようにすることにある。また、アナログ形式とディジタル形式の双方の映像信号の同時表示に対応できるようにすることにある。
【００１４】
【課題を解決するための手段】
この目的を達成するため本発明では、入力映像信号に基づき画像表示器上に順次リフレッシュしつつ画像を表示する画像表示装置において、前記入力映像信号は、アスペクト比を含む方式が異なる、複数のアナログ形式の入力映像信号、およびディジタル形式の入力映像信号であり、複数の前記入力映像信号のうちから２以上を選択し、選択した信号を所定のタイミングで切り替えながら出力する選択切替手段と、前記選択切替手段により選択されるアナログ形式の映像信号から同期信号を分離する同期分離回路と、そのアナログ形式の映像信号をディジタル形式の映像信号に変換するＡ／Ｄコンバータと、選択されまたは変換されたディジタル形式の映像信号を１水平期間記憶するラインメモリと、このラインメモリに前記同期信号に基づいてリフレッシュタイミングの情報を送ってその映像信号を前記画像表示器に送出させるリフレッシュ制御回路と、選択される各映像信号に対してそれに基づく表示が行なわれるべき前記画像表示器上の画像表示領域を割り当てる割当手段とを備え、画像表示器は記憶性を有するものであることを特徴とする。
【００１５】
前記画像表示器は例えば、走査電極群と信号電極群、およびこの走査電極群と信号電極群との間に配置した強誘電性液晶を有し、この走査電極群と信号電極群との交差部にマトリクス状に画素が形成された液晶表示器であり、前記強誘電性液晶の一方の閾値電圧を越えた電圧の印加によって形成される第一の配向状態の画素と、他方の閾値を越えた電圧の印加によって形成される第二の配向状態の画素とによって画像を表示するものであることを特徴とする。
【００１６】
この場合、例えば、前記信号電極群を駆動するための、それぞれが複数の前記信号電極に接続された複数の信号電極駆動回路であってその複数の信号電極駆動回路によりすべての信号電極を駆動するものと、前記走査電極群を駆動するための、それぞれが複数の前記走査電極に接続された複数の走査電極駆動回路であってその複数の走査電極駆動回路によりすべての前記走査電極を駆動するものとを備え、前記複数の信号電極駆動回路および複数の走査電極駆動回路のうち所定のものを選択して順次駆動させることにより、前記表示枠制御回路または前記画像表示領域の割当てを行なうものである。
【００１７】
前記リフレッシュ手段は、前記画像表示領域以外の表示領域の画素には、例えば前記映像信号の垂直同期期間よりも長い周期で、あるいは前記映像信号の垂直ブランキング期間に、前記第一の配向状態もしくは第二の配向状態を形成し、リフレッシュするものである。
【００１８】
【作用】
この構成において、画像表示器は記憶性を有するため、画像表示領域外の画素は映像信号選択時に１度もしくは映像信号の垂直同期期間よりも十分に長い周期でリフレッシュ動作すれば良く、したがって、映像信号に無信号状態を挿入する等の信号処理の必要なしに、表示器とアスペクト比の異なる映像信号の表示が行なわれる。また、複数のアナログ形式の映像信号と、情報端末からのディジタル形式の情報信号の入力を、時分割で選択することにより、複数の画像／情報信号が、画面上に割り当てられ、同時に表示される。したがって、ディスプレイ単体によってマルチメディアデバイスとしての役割を果たす作用がある。
【００１９】
すなわち、画像表示器として、記憶性を有する、ＦＬＣＤ等を用いるようにしたため、画像表示器とアスペクト比の異なる映像信号を表示する際には、信号処理によって映像信号に無信号領域を挿入したり、液晶画像表示装置の走査電極、信号電極の走査クロック周波数を変化させたりといった煩雑な処理を必要とせず、簡易に無信号領域を形成し、かつ無信号領域においては、映像信号の垂直同期期間よりも長い周期で、リフレッシュ動作をすることにより画像表示領域の駆動周波数を変更することなく表示が行なわれる。
【００２０】
また、パーソナルコンピュータ等の情報端末機器の情報表示装置において、情報端末機器内での信号処理を一切必要とせず、アスペクト比の異なる複数のアナログ形式の映像信号と、情報端末からのディジタル形式の情報信号の入力を、時分割で選択することにより、複数の画像／情報信号を、画面を分割し、同時に表示することが可能となる。
【００２１】
【実施例】
以下、図面に従い本発明の実施例を詳細に説明する。
図１は本発明の一実施例に係る液晶表示装置のブロック図であり、１は強誘電性液晶表示器、２は信号電極ドライバ、３は走査電極ドライバ、４は信号電極、５は走査電極、６は信号電極４と走査電極５の交差部に設けられた画素、７は映像信号を選択する選択信号、８（８ａ、８ｂ、８ｃ）はそれぞれ異なる形式のアナログ形式の映像信号の入力端子、９はディジタル形式の映像信号の入力端子、１０はこれらの映像信号を時分割にスイッチングする選択手段、１１は選択されたアナログ形式の映像信号から同期信号を分離する同期分離回路、１２は同期分離回路１１から分離された同期信号、１３は同期分離回路１１によって同期信号が分離されたアナログ形式の映像信号をディジタル形式の信号に変換するＡ／Ｄコンバータ、１４はＡ／Ｄコンバータ１３の出力信号を１水平期間記憶するラインメモリ、１５は選択信号７、同期信号１２に従って強誘電性液晶表示器１の画像表示領域を決定し、それに従って信号電極ドライバ２、走査電極ドライバ３およびラインメモリ１４を制御する表示枠制御回路、１６は表示枠制御回路１５によって決定される画像表示領域の位置や大きさを調節する調節手段、１７はラインメモリ１４への書込み、読出し信号、およびリフレッシュ制御回路２１へのクロック信号、１８は表示枠制御回路１５に従って信号電極ドライバ２を駆動する駆動パルス、１９は表示枠制御回路１５に従って走査電極ドライバ３を駆動する駆動パルス、２０はラインメモリ１４の出力信号、２１は画像表示領域外の画素をリフレッシュするリフレッシュ制御回路、２２は表示枠制御回路１５に送られるリフレッシュ制御信号、２３はラインメモリ１４に送られるリフレッシュ画像情報信号である。
【００２２】
なお、本実施例では表示器として強誘電性液晶を用いた表示器を用いた場合について詳しく説明するが、本発明はこれに限られず、すべての記憶性を有する表示器において有効であることは言うまでもない。
【００２３】
強誘電性液晶表示器１の走査線数および信号線数は、表示する映像信号に合わせるのがふさわしい。例えばアナログ形式映像信号入力端子８から入力する映像信号の１つとしてＮＴＳＣ方式、ＰＡＬ方式といった現行のアスペクト比４：３のテレビジョン信号がある場合、液晶表示器の走査線数は約４００行、もしくはその半分の２００行の画素で構成され、またその信号帯域から８００〜４００列の画素で構成されるが、同時に入力端子８から入力する映像信号の１つとしてＨＤＴＶ方式のテレビジョン信号の場合は走査線数が１１２５本、信号帯域が３０ＭＨｚ、アスペクト比が１６：９であり、表示器としては１０００行×１６００列以上のマトリクスが望ましい。またパーソナルコンピュータ等の情報端末機器に接続する際には、例えばＳＶＧＡ規格に適合した１０２４行×１２８０列のマトリクスが望ましい。本発明においては複数の形式の異なる映像情報を表示するため、表示器の走査線数および信号線数はもっとも頻繁に使われる用途に合わせるのが適する。以下、例として、ＳＶＧＡ規格に合わせた表示器を用いる場合について説明する。
【００２４】
入力端子８ａ、８ｂ、８ｃもしくは入力端子９から入力される映像信号は、選択信号７に従って、選択手段１０により１つが選択される。選択された映像信号は、ディジタル形式の映像信号である場合は、直接ラインメモリ１４に入力される。選択された映像信号がアナログ形式の映像信号である場合には、同期分離回路１１に入力され、同期信号１２と映像情報とに分離される。分離された同期信号は表示枠制御回路１５に入力され、他方、映像情報はＡ／Ｄコンバータ１３に入力される。Ａ／Ｄコンバータ１３において、ディジタル形式に変換された映像信号はラインメモリ１４に入力される。
【００２５】
図２は表示枠制御回路１５の内部ブロック図である。２４ａ、２４ｂ、２４ｃ、２４ｄはそれぞれ形式の異なる映像信号、例えば入力端子８ａ、８ｂ、８ｃ、９からの映像信号の画像表示領域を記憶する記憶手段（ＳＲＡＭ）である。２５ａ、２５ｂ、２５ｃ、２５ｄおよび２６ａ、２６ｂ、２６ｃ、２６ｄは、それぞれ対をなして選択信号７によってオン状態、オフ状態を制御されるスイッチである。２７はクロック信号および表示器駆動パルスの発生回路である。
【００２６】
選択信号７により、スイッチ２５ａと２６ａ、２５ｂと２６ｂ、２５ｃと２６ｃ、２５ｄと２６ｄのそれぞれの組のスイッチのいづれか一組が、オン状態となる。記憶手段２４ａ、２４ｂ、２４ｃ、２４ｄのうち、スイッチがオン状態となったものには、調節手段１６からの調節信号が入力され、表示枠の位置および大きさが修正される。修正された表示枠の情報はクロック信号および表示器駆動パルス発生回路２７に入力される。クロック信号および表示器駆動パルス発生回路２７は、同期信号１２を基準として、ラインメモリ１４の書込みおよび読出しならびにリフレッシュ制御回路２１へのクロック信号１７、信号電極ドライバ駆動パルス１８、走査電極駆動パルス１９を発生する。
【００２７】
ラインメモリ１４の書込みおよび読出しクロック信号１７のタイミングチャートを図３に示す。
【００２８】
図３（ａ）は、強誘電性表示器１と走査線数およびアスペクト比がほぼ同じ映像信号を表示する際のタイミングチャートである。１７ａはラインメモリ１４の書込みクロック、２８はＡ／Ｄコンバータ１３の出力信号もしくは選択手段１０によりディジタル形式の映像信号が選択された場合の出力信号、１７ｂはラインメモリ１４の読出しクロック、２０ａは強誘電性液晶表示器１の信号電極ドライバ２へ送られるラインメモリ１４の出力信号である。
【００２９】
書込みクロック１７ａのパルス周期および位相は同期信号１２と同じであり、周期は１水平期間１Ｈである。書込みクロック１７ａによりディジタル形式の映像信号２８がラインメモリ１４に読み込まれ、１水平期間分の信号が記憶される。記憶された信号は、読出しクロック１７ｂにより１水平期間遅れた位相で信号２０ａとして出力され、強誘電性液晶表示器１の信号電極ドライバ２に入力される。
【００３０】
図３（ｂ）は、強誘電性表示器１よりも走査線数が１／２以下の映像信号を表示する際のタイミングチャートである。１７ｃはラインメモリ１４の読出しクロック、２０ｂはラインメモリ１４の出力信号である。
【００３１】
書込みクロック１７ａによりディジタル形式の映像信号２８がラインメモリ１４に読み込まれ、１水平期間分の信号が記憶される。記憶された信号は、読出しクロック１７ｃにより、１／２Ｈ遅れた位相で２回ずつ信号２０ｂとして出力され、強誘電性液晶表示器１の信号電極ドライバ２に入力される。従って、強誘電性液晶表示器１では２走査線毎に同じ映像信号を表示し、映像信号の走査線数の２倍の走査線の画素を駆動する。
【００３２】
図３（ｃ）は、強誘電性表示器１よりも走査線数が多い映像信号もしくはアスペクト比が横長であり、走査線の間引きを必要とする映像信号を表示する際のタイミングチャートである。図では４水平走査期間に１回の間引きを行う場合の例を示す。１７ｄはラインメモリ１４の読出しクロック、２０ｃはラインメモリ１４の出力信号である。
【００３３】
書込みクロック１７ａによりディジタル形式の映像信号２８がラインメモリ１４に読み込まれ、１水平期間分の信号が記憶される。記憶された信号は、４水平走査期間に１回の周期でパルスが欠落する読出しクロック１７ｄにより、１水平走査期間遅れた位相で、４水平走査期間に一回映像信号が間引かれて、信号２０ｃとして出力され、強誘電性液晶表示器１の信号電極ドライバ２に入力される。強誘電性液晶表示器１では読出しクロック１７ｄに同期して走査電極５を駆動することにより、縦方向に３／４に間引かれた映像を表示する。
【００３４】
図４は強誘電性液晶表示器１の内部ブロック図である。１８ａは信号電極側チップセレクト信号、１８ｂは信号電極側スタートパルス、１８ｃは映像信号クロックパルス、１８ｄは信号電極側クロックパルスである。１９ａは走査電極側チップセレクト信号、１９ｂは走査電極側スタートパルス、１９ｃは走査電極側クロックパルスである。２９ａ〜２９ｅは信号電極ドライバＩＣ、３０ａ〜３０ｆは走査電極ドライバＩＣである。
【００３５】
信号電極ドライバ２は、チップセレクト信号１８ａによって、信号電極ドライバＩＣ２９ａ〜２９ｅのうち、どの範囲で走査を行うか決定される。ディジタル映像信号２０に同期して、スタートパルス１８ｂにより走査が開始され、クロックパルス１８ｃにより順次信号電極を選択し、信号電極ドライバＩＣ２９ａ〜２９ｅにより、液晶を駆動するために昇圧された映像信号を信号電極に供給する。映像信号２０の１水平期間周期で、チップセレクト信号１８ａで決定された範囲の信号電極を一巡する。
【００３６】
走査電極ドライバ３は、チップセレクト信号１９ａによって、走査電極ドライバＩＣ３０ａ〜３０ｆのうち、どの範囲で走査を行うか決定される。ディジタル映像信号２０に同期して、スタートパルス１９ｂにより走査が開始され、クロックパルス１９ｃにより順次走査電極を選択する。クロックパルス１９ｃは、ラインメモリ１４の読出しクロック（図３の１７ｂ、１７ｃ、１７ｄ）に同期している。映像信号２０の１垂直期間周期で、チップセレクト信号１９ａで決定された範囲の走査電極を一巡する。
【００３７】
強誘電性液晶表示器１とアスペクト比および走査線数がほぼ等しい映像信号を表示する際には、チップセレクト信号１８ａは信号電極ドライバＩＣ２９ａ〜２９ｅ全てを選択し、チップセレクト信号１９ａは走査電極ドライバＩＣ３０ａ〜３０ｆ全てを選択する。
【００３８】
この時の強誘電性液晶表示器１内の信号電極ドライバ２のタイミングチャートを図１１（ａ）に示す。図中３８ａ〜３８ｅはそれぞれ信号電極ドライバＩＣ２９ａ〜２９ｅの内部のデータラッチパルスである。信号電極ドライバＩＣ２９ａ〜２９ｅは、信号電極ドライバスタートパルス１８ｂにより信号電極ドライバＩＣ２９ａの先頭からデータラッチを開始するようリセットされ、映像信号クロックパルス１８ｃに同期して、ディジタル映像信号２０からデータをラッチし、信号電極ドライバＩＣ２９ａのデータラッチが終了すると、順次信号電極ドライバＩＣ２９ｂ、２９ｃ、２９ｄ、２９ｅが順にデータをラッチし、選択された全ての信号電極のデータがラッチされたのち、信号電極クロックパルス１８ｄに同期して信号電極の駆動を開始する。
【００３９】
また、この時の強誘電性液晶表示器１内の走査電極ドライバ３のタイミングチャートを図１３（ａ）に示す。図中３９ａ〜３９ｆはそれぞれ信号電極ドライバＩＣ３０ａ〜３０ｆが接続された走査電極を駆動している状態を表す。走査電極ドライバＩＣ３０ａ〜３０ｆは、走査電極ドライバスタートパルス１９ｂにより走査電極ドライバＩＣ３０ａの先頭から走査が開始されるようリセットされ、走査電極ドライバクロック１９ｃに同期して、走査電極を走査し、走査電極ドライバＩＣ３０ａの走査が終了すると、順次走査電極ドライバＩＣ３０ｂ、３０ｃ、３０ｄ、３０ｅ、３０ｆを選択することで、全ての走査電極を駆動する。ここで、走査電極クロックパルス１９ｃは信号電極クロックパルス１８ｄに同期した信号である。
したがって、強誘電性液晶表示器１には、図５（ａ）に示す如く映像が表示される。
【００４０】
また、強誘電性液晶表示器１とアスペクト比が等しく、走査線数がほぼ１／２である映像信号を表示する際には、ラインメモリ１４を前述の図３（ｂ）の如く制御し、２走査線毎に同じ映像信号を表示することによって、図５（ａ）の如く映像を表示することができる。この時の強誘電性液晶表示器１内の信号電極ドライバ２および走査電極ドライバ３のタイミングチャートはそれぞれ前述の図１１（ａ）および図１３（ａ）と同様である。
【００４１】
強誘電性液晶表示器１よりもアスペクト比が横長である映像信号を表示する際には、チップセレクト信号１８ａは信号電極ドライバＩＣ２９ａ〜２９ｅ全てを選択し、チップセレクト信号１９ａは走査電極ドライバＩＣのうち３０ｂ〜３０ｅを選択し、ラインメモリ１４を前述の図３（ｃ）の如く制御する。この時の強誘電性液晶表示器１内の信号電極ドライバ２のタイミングチャートは前述の図１１（ａ）に示すとおりである。また、この時の強誘電性液晶表示器１内の走査電極ドライバ３のタイミングチャートを図１３（ｂ）に示す。走査電極ドライバＩＣ３０ａ〜３０ｆは、走査電極ドライバスタートパルス１９ｂにより、チップセレクト信号１９ａにより選択された走査電極ドライバＩＣ３０ｂの先頭から走査が開始されるようリセットされ、走査電極ドライバクロック１９ｃに同期して、走査電極を走査し、走査電極ドライバＩＣ３０ｂの走査が終了すると、順次走査電極ドライバＩＣ３０ｃ、３０ｄ、３０ｅを選択することで、チップセレクト信号１９ａにより選択された走査電極ドライバＩＣに接続された走査電極を駆動する。従って強誘電性液晶表示器１には、図５（ｂ）の如く映像が表示される。
【００４２】
また、調節手段１６により、表示枠制御回路１５の画像表示領域位置を変更し、チップセレクト信号１９ａが走査電極ドライバＩＣ３０ａ〜３０ｄ、もしくは３０ｃ〜３０ｆを選択した際の強誘電性液晶表示器１内の走査電極ドライバ３のタイミングチャートを図１４（ａ）および図１４（ｂ）に示す。これにより強誘電性液晶表示器１には、図５（ｃ）、（ｄ）の如く映像が表示される。
【００４３】
強誘電性液晶表示器１よりもアスペクト比が縦長である映像信号を表示する際には、チップセレクト信号１８ａは信号電極ドライバＩＣのうち２９ｂ〜２９ｄを選択し、チップセレクト信号１９ａは走査電極ドライバＩＣ３０ａ〜３０ｆを選択する。
【００４４】
この時の強誘電性液晶表示器１内の信号電極ドライバ２のタイミングチャートを図１１（ｂ）に示す。信号電極ドライバＩＣ２９ａ〜ｅは、信号電極ドライバスタートパルス１８ｂにより、チップセレクト信号１８ａにより選択された信号電極ドライバＩＣ２９ｂの先頭からデータラッチが開始されるようリセットされ、信号電極ドライバＩＣ２９ｂのデータラッチが終了すると、２９ｂ、２９ｃ、２９ｄの順にデータをラッチし、信号電極ドライバクロック１８ｄに同期して、接続された信号電極を駆動する。従って強誘電性液晶表示器１には、図６（ａ）の如く映像が表示される。
【００４５】
また、調節手段１６により、表示枠制御回路１５の画像表示領域位置を変更し、チップセレクト信号１８ａを信号電極ドライバＩＣ２９ａ〜２９ｃ、もしくは２９ｃ〜２９ｅを選択した際の強誘電性液晶表示器１内の信号電極ドライバ２のタイミングチャートを図１２（ａ）および図１２（ｂ）に示す。これにより強誘電性液晶表示器１には、図６（ｂ）、（ｃ）の如く映像が表示される。
【００４６】
図５および図６における３１は画像表示領域外の画素であり、リフレッシュ回路２１により制御される。リフレッシュ回路２１は、選択信号７により映像信号選択時、もしくは表示枠制御回路１５からの映像信号の垂直期間に同期したクロックをカウントすることにより、映像信号よりも十分長い周期、具体的には６００〜６０００倍の周期で画素を書き換えるよう、ラインメモリ１４にリフレッシュ映像信号を送り、表示枠制御回路１５にリフレッシュ信号２２を送る。表示枠制御回路１５は画像表示領域外の画素もしくはすべての画素を書き換えるよう、信号電極駆動パルス１８および走査電極駆動パルス１９により信号電極４および走査電極５を選択する。ラインメモリ１４から強誘電性液晶表示器１の信号電極ドライバ２に入力されたリフレッシュ映像信号は、信号電極ドライバＩＣにより、液晶を駆動するために昇圧されて信号電極に供給され、画素に書き込まれる。
【００４７】
強誘電性液晶表示器１はその特徴として、前述のように、その液晶セルが電界の印加に対して表示状態の保存性を有するので、画像表示領域の画素は、一度書き込めば良い。リフレッシュ駆動する際にも、映像信号の垂直周期より十分遅い周期で良く、映像信号の垂直同期期間を使って順次書き換えることが可能であり、映像信号そのものには信号処理を加えることなく強誘電性液晶表示器１とはアスペクト比の異なる映像信号を表示することができるという効果がある。
【００４８】
図７は本発明の他の実施例に係る液晶画像表示装置のブロック図である。この装置は、選択信号カウンタ回路３２により選択信号７を時分割に切り替えることにより、同時に複数の映像を表示するようにしたものである。入力端子８ａ、８ｂ、８ｃもしくは入力端子９から入力される映像信号のうち少なくとも２つの映像信号は、時分割に切り替わる選択信号７に従って、選択手段１０により時分割に選択される。選択信号７は、選択される映像信号の垂直同期信号に同期して切り替えられる。図９は本実施例における表示枠制御回路３３の内部ブロック図である。本実施例においては調節手段１６から表示枠制御回路３３内の、画像表示領域を記憶する記憶手段（ＳＲＡＭ）２４ａ、２４ｂ、２４ｃ、２４ｄのそれぞれに独立に調節信号が送られる。
【００４９】
選択信号７により、時分割にスイッチ２６ａ、２６ｂ、２６ｃ、２６ｄのいづれかがオン状態となる。記憶手段２４ａ、２４ｂ、２４ｃ、２４ｄのうち、スイッチがオン状態となった記憶手段から、画像表示領域の情報がクロック信号および表示器駆動パルス発生回路２７に入力される。クロック信号および表示器駆動パルス発生回路２７は、同期信号１２を基準として、ラインメモリ１４への書込みおよび読出しおよびリフレッシュ制御回路２１へのクロック信号１７、信号電極ドライバ駆動パルス１８、走査電極駆動パルス１９を発生する。
【００５０】
これにより、図８（ａ）に示すように、強誘電性液晶表示器１に、同時に複数の異なる形式の映像信号を表示することができる。選択信号７がそれぞれの信号の１フレームもしくは数フレームごとに交互に切り替わる場合、それぞれの映像信号のフレーム周波数は、実質的に遅くなるが、（例えば同じフレーム周波数の映像信号２つを同時に表示する場合、それぞれの映像信号のフレーム周波数は１／２になる）同時に２つの映像信号を視聴することができる。また、図８（ｂ）の如く、一方の映像信号が静止画もしくは動きの非常に少ない映像である場合には、選択信号７の切り替えを他方の１／１０〜１／１０００、もしくは１秒〜数十秒に１回切り替わるように調節することにより、動画の品質を殆ど損なうことなく同時に静止画もしくは動きの非常に少ない映像を表示することができる。
【００５１】
図１０は選択信号カウンタ回路３２の一例を示す図である。同図において、３４は垂直同期信号をクロック入力するバイナリカウンタ、３５はＡＮＤ回路、３６はＤフリップフロップ、３７は選択信号発生回路である。また、この選択信号カウンタ回路３２において、映像信号入力端子８ａに動画を入力し、映像信号入力端子８ｂに静止画もしくは動きの非常に少ない映像を表示する際のタイミングチャートを図１５に示す。４０はＤフリップフロップ３６の出力信号、４１は同期信号分離回路１１の出力信号である。
【００５２】
本例では一方の映像信号が、他方の１／１００の割合で選択され、選択手段１０は、Ｄフリップフロップ３６の出力信号４０がＬｏｗ（ロー）である時、映像信号入力端子８ａから入力される映像信号を選択し、Ｄフリップフロップ３６の出力信号４０がＨｉｇｈ（ハイ）である時、映像信号入力端子８ｂから入力される映像信号を選択する場合について説明する。バイナリカウンタ３４はクロック入力の垂直同期信号１２によりカウント動作する。バイナリカウンタ３４の出力が十進数“１００”以下の時は、Ｄフリップフロップ３６の出力信号４０はＬｏｗであるから、選択手段１０は映像信号入力端子８ａの映像信号を選択し、同期信号分離回路１１により、映像信号８ａから分離された垂直同期信号１２が選択信号カウンタ回路３２に入力される。バイナリカウンタ３４の出力が“１００”、すなわちＱ２、Ｑ５、Ｑ６の出力が初めて全てＨｉｇｈ状態になると、ＡＮＤ回路３５の出力がＨｉｇｈになる。ＡＮＤ回路３５の出力は、バイナリカウンタ３４のリセット端子ＲＳＴに入力され、バイナリカウンタ３４をリセットすると同時に、Ｄフリップフロップ３６に入力される。Ｄフリップフロップ３６は、クロック入力される垂直同期信号１２に同期して、入力された信号を選択信号発生回路３７に送る。選択信号発生回路３７は、Ｄフリップフロップの出力信号４０がＬｏｗもしくはＨｉｇｈとなるのに従って、映像信号入力端子８ａ、８ｂのいづれかに入力されている映像信号に合わせて、選択手段１０をスイッチングするよう、選択信号７を出力する。従って、同期信号分離回路１１の出力信号は図１５の１２の如くなり、前述の表示枠制御回路３３内の画像表示領域を記憶する記憶手段２４ａ〜２４ｄによりそれぞれ設定される強誘電性液晶表示器１の表示領域に対し、例えば図８（ｃ）の如く映像信号が表示される。
【００５３】
また、図８（ｄ）の如く、テレビジョン信号を表示する際に、同時に裏番組を確認する際には、前述と同様に選択信号７の切り替えを、主表示画面の１／１０〜１／１０００、もしくは１秒〜数十秒に１回切り替わるように調節することにより、主表示画面の品質を殆ど損なうことなく同時に裏番組の映像を表示することができる。
【００５４】
以上のように、本実施例によれば、表示装置単体で、映像信号に複雑な信号処理を施すことなく、簡易な回路構成で、複数の形式の異なる映像信号を同時に表示することが可能となる効果がある。
【００５５】
【発明の効果】
以上説明したように、本発明によれば、強誘電性液晶を用いた液晶表示器に代表される、記憶性を有する画像表示器を使用する画像表示装置において、映像信号に無信号状態を挿入する等の信号処理を必要とせず、画像表示器とアスペクト比の異なる映像信号の表示を実現する効果がある。また、画像表示領域外の画素は映像信号選択時に１度もしくは映像信号の垂直同期期間よりも十分に長い周期でリフレッシュ動作することが可能となる。また、複数のアナログ形式の映像信号と、ディジタル形式の情報信号の入力を、時分割で選択することにより、複数の画像／情報信号を、画面を分割し、同時に表示することを可能とする効果がある。
【図面の簡単な説明】
【図１】  本発明の一実施例に係る液晶表示装置のブロック図である。
【図２】  図１の装置における表示枠制御回路のブロック図である。
【図３】  図１の装置におけるラインメモリのタイミングチャートである。
【図４】  図１の装置における強誘電性液晶表示器のブロック図である。
【図５】  図１の装置における画像表示器の表示画面例を示す図である。
【図６】  図１の装置における画像表示器の他の表示画面例を示す図である。
【図７】  本発明の他の実施例に係る液晶表示装置のブロック図である。
【図８】  図７の装置における画像表示器の表示画面例を示す図である。
【図９】  図７の装置における表示枠制御回路のブロック図である。
【図１０】  図７の装置における選択信号カウンタ回路の等価回路図例を示す図である。
【図１１】  図１の装置における信号電極ドライバのタイミングチャートである。
【図１２】  図１の装置における信号電極ドライバの他のタイミングチャートである。
【図１３】  図１の装置における走査電極ドライバのタイミングチャートである。
【図１４】  図１の装置における走査電極ドライバの他のタイミングチャートである。
【図１５】  図７の装置における静止画もしくは動きの非常に少ない映像を表示する際のタイミングチャートである。
【符号の説明】
１：強誘電性液晶表示器、２：強誘電性液晶表示器１の信号電極ドライバ、３：強誘電性液晶表示器１の走査電極ドライバ、４：強誘電性液晶表示器１の信号電極、５：強誘電性液晶表示器１の走査電極、６：強誘電性液晶表示器１の画素、７：選択信号、８ａ，８ｂ，８ｃ：アナログ形式映像信号入力端子、９：ディジタル形式映像信号入力端子、１０：選択手段、１１：同期分離回路、１２：同期信号、１３：Ａ／Ｄコンバータ、１４：ラインメモリ、１５：表示枠制御回路（第１の実施例に係わる）、１６：調節手段、１７：ラインメモリ１４およびリフレッシュ制御回路２１のクロック信号、１７ａ：ラインメモリ１４の書込みクロック、１７ｂ，１７ｄ，１７ｃ：ラインメモリ１４の読出しクロック、１８：信号電極ドライバ駆動パルス、１８ａ：信号電極ドライバチップセレクト信号、１８ｂ：信号電極ドライバスタートパルス、１８ｃ：映像信号クロックパルス、１８ｄ：信号電極ドライバクロックパルス、１９：走査電極ドライバ駆動パルス、１９：走査電極ドライバチップセレクト信号、１９：走査電極ドライバスタートパルス、１９：走査電極ドライバクロックパルス、２０，２０ａ，２０ｂ，２０ｃ：ラインメモリ１４の出力映像信号、２１：リフレッシュ制御回路、２２：リフレッシュ制御信号、２３：リフレッシュ画像情報信号、２４ａ，２４ｂ，２４ｃ，２４ｄ：画像表示領域記憶手段、２５ａ，２５ｂ，２５ｃ，２５ｄ：スイッチ、２６ａ，２６ｂ，２６ｃ，２６ｄ：スイッチ、２７：クロック信号および画像表示器駆動パルス発生回路、２８：ラインメモリ１４の入力映像信号、２９ａ〜ｅ：信号電極ドライバＩＣ、３０ａ〜ｆ：走査電極ドライバＩＣ、３１：画像表示領域画素、３２：選択信号カウンタ回路、３３：表示枠制御回路（第２の実施例に係わる）、３４：バイナリカウンタ、３５：ＡＮＤ回路、３６：Ｄフリップフロップ、３７：選択信号発生回路。
【図１】
0003635587.tif 000002
【図２】
0003635587.tif 000003
【図３】
0003635587.tif 000004
【図４】
0003635587.tif 000005
【図５】
0003635587.tif 000006
【図６】
0003635587.tif 000007
【図７】
0003635587.tif 000008
【図８】
0003635587.tif 000009
【図９】
0003635587.tif 000010
【図１０】
0003635587.tif 000011
【図１１】
0003635587.tif 000012
【図１２】
0003635587.tif 000013
【図１３】
0003635587.tif 000014
【図１４】
0003635587.tif 000015
【図１５】
0003635587.tif 000016